(57)【特許請求の範囲】
【請求項１】
押圧操作によってスイッチ接点の開閉を行う複数のキーと、このキーに接続され、キーの開閉によってリモコン信号を送信するマイクロコンピュータと、このマイクロコンピュータに接続され、上記リモコン信号を赤外線または電波信号として送信する送信回路からなり、上記マイクロコンピュータが所定のキーの押圧操作によって検査状態に切換わり、その後に開閉されたキーの開閉情報を記憶して、これを検査用リモコン信号として一括して送信回路に送信するリモコン送信器。
【請求項２】
検査用リモコン信号に、マイクロコンピュータの識別情報を付加した請求項１記載のリモコン送信器。
【請求項３】
請求項１または２記載のリモコン送信器の複数のキーを順次押圧操作した後、検査用リモコン信号を赤外線または電波信号としてリモコン送信器から検査機に一括して送信し、検査機がこの検査用リモコン信号の判定を一括して行うリモコン送信器の検査方法。
【発明の詳細な説明】
【０００１】
【発明の属する技術分野】
本発明は、テレビやビデオ等の各種電子機器に使用されるリモコン送信器及びその検査方法に関するものである。
【０００２】
【従来の技術】
近年、各種電子機器の遠隔操作用にリモコン送信器が多く用いられ、その形状や機能も様々なものが増えている。
【０００３】
このような従来のリモコン送信器について、図６及び図７を用いて説明する。
【０００４】
図６は従来のリモコン送信器の回路構成図、図７は同外観斜視図であり、同図において、１は箱型で絶縁樹脂製のケース、２は電源キー、３Ａ〜３Ｌは選局キーで、これら電源キー２や選局キー３Ａ〜３Ｌがケース１上面から上下動可能にに突出すると共に、各キーの下方にはケース１内部に収納された配線基板（図示せず）上に各々スイッチ接点が配置されている。
【０００５】
そして、４は電源キー２及び選局キー３Ａ〜３Ｌに接続されたマイクロコンピュータ（以下マイコンと記載する）、５はマイコン４に接続された送信回路で、マイコン４には、どのキーのスイッチ接点が開閉されたかを検出するキー開閉検出部６や、各キーの送信コードを記憶した送信コード記憶部７、キー開閉検出部６からの各キーの開閉信号に応じて送信コード記憶部７から各キーの送信コードを読み込み、各キーの操作用リモコン信号を作成して送信回路５を駆動する操作信号作成部８が設けられて、リモコン送信器１０が構成されている。
【０００６】
以上の構成において、例えば電源キー２を押圧操作すると、この下方のスイッチ接点が開閉されて、この電源キー２の開閉信号がマイコン４のキー開閉検出部６から操作信号作成部８に送信され、操作信号作成部８がこの開閉信号に応じた電源キー２の送信コードを送信コード記憶部７から読み込み、電源キー２の操作用リモコン信号を作成して送信回路５を駆動させる。
【０００７】
そして、送信回路５がこの電源キー２の操作用リモコン信号を赤外線信号として電子機器（図示せず）に送信し、電子機器がこの赤外線信号を受信して電源の開閉を行うことによって、リモコン送信器１０による電子機器の遠隔操作が行われるように構成されている。
【０００８】
また、このような構成のリモコン送信器の検査方法について説明すると、各キーを順次押圧操作して、リモコン送信器１０から各キー毎の赤外線信号を検査機（図示せず）に順次送信し、検査機はこの赤外線信号を受信して、各キーのスイッチ接点が正常に開閉されたか否かの判定を順次行うように構成されている。
【０００９】
なお、このリモコン送信器の検査に要する時間は、各キーの押圧操作時間を０．１秒、リモコン送信器１０から検査機への各キー毎の送信時間を０．２秒、検査機の各キー毎の受信及び確認時間を０．０２秒とすると、図７に示したようなキー数が１３キーで構成されているリモコン送信器の場合には、（０．１秒＋０．２秒＋０．０２秒）×１３キー＝４．１６秒を必要とし、４０キーで構成されているリモコン送信器では１２．８秒の検査時間を必要とするものであった。
【００１０】
【発明が解決しようとする課題】
しかしながら上記従来のリモコン送信器においては、全てのキーについて１キー毎に押圧操作を行い、各キー毎の赤外線信号を検査機に順次送信して検査を行っているため、検査に時間を要し、低価格化を図ることが困難であるという課題があった。
【００１１】
本発明は、このような従来の課題を解決するものであり、検査時間を短縮し、安価なリモコン送信器及びその検査方法を提供することを目的とする。
【００１２】
【課題を解決するための手段】
上記目的を達成するために本発明は、所定のキーの押圧操作によってマイコンが検査状態に切換わり、マイコンがその後に開閉されたキーの開閉情報を記憶して、これを検査用リモコン信号として一括して送信回路に送信するようにリモコン送信器を構成するものである。
【００１３】
これにより、検査時間を短縮した、安価なリモコン送信器を得ることができる。
【００１４】
【発明の実施の形態】
本発明の請求項１に記載の発明は、押圧操作によってスイッチ接点の開閉を行う複数のキーと、このキーに接続され、キーの開閉によってリモコン信号を送信するマイコンと、このマイコンに接続され、上記リモコン信号を赤外線または電波信号として送信する送信回路からなり、上記マイコンが所定のキーの押圧操作によって検査状態に切換わり、その後に開閉されたキーの開閉情報を記憶して、これを検査用リモコン信号として一括して送信回路に送信するリモコン送信器としたものであり、所定のキーの押圧操作によってマイコンが検査状態に切換わり、その後に開閉されたキーの開閉情報を検査用リモコン信号として一括して送信回路に送信することによって、検査時間を短縮した、安価なリモコン送信器を得ることができるという作用を有する。
【００１５】
請求項２に記載の発明は、請求項１記載の発明において、検査用リモコン信号に、マイコンの識別情報を付加したものであり、キーの開閉情報に加え、どのマイコンが用いられたリモコン送信器かの判定も検査機が行うことによって、マイコンやキー数が異なるものの検査も可能なリモコン送信器が得られると共に、万一誤ったマイコンが用いられた場合でも、マイコンの識別情報と各キーの開閉情報が一致しないため、検査結果は否となってこれを検出することができるという作用を有する。
【００１６】
請求項３に記載の発明は、請求項１または２記載のリモコン送信器の複数のキーを順次押圧操作した後、検査用リモコン信号を赤外線または電波信号としてリモコン送信器から検査機に一括して送信し、検査機がこの検査用リモコン信号の判定を一括して行うリモコン送信器の検査方法としたものであり、検査時間を短縮し安価な検査方法を実現できるという作用を有する。
【００１７】
以下、本発明の実施の形態について、図１〜図５を用いて説明する。
【００１８】
なお、従来の技術の項で説明した構成と同一構成の部分には同一符号を付して、詳細な説明を省略する。
【００１９】
（実施の形態）
図１は本発明の一実施の形態によるリモコン送信器の回路構成図、図２は同外観斜視図であり、同図において、電源キー２や選局キー３Ａ〜３Ｌが、箱型で絶縁樹脂製のケース１上面から上下動可能に突出すると共に、各キー下方のケース１内部に収納された配線基板（図示せず）上に、各々スイッチ接点が配置されている。
【００２０】
そして、電源キー２及び選局キー３Ａ〜３Ｌに接続されたマイコン１１に、送信回路５が接続されていることや、同じくマイコン１１に、どのキーのスイッチ接点が開閉されたかを検出するキー開閉検出部６や、各キーの送信コードを記憶した送信コード記憶部７、キー開閉検出部６からの各キーの開閉信号に応じて送信コード記憶部７から各キーの送信コードを読み込み、各キーの操作用リモコン信号を作成して送信回路５を駆動する操作信号作成部８が設けられていることも従来の技術の場合と同様であるが、キー開閉検出部６と操作信号作成部８の間には処理切換部１２が接続されている。
【００２１】
また、この処理切換部１２には検査状態時にキーの情報を記憶するキー情報記憶部１３が接続され、キー情報記憶部１３にはキーの情報に応じた検査用リモコン信号を作成し、送信回路５を駆動する検査信号作成部１４が接続されて、リモコン送信器１５が構成されている。
【００２２】
次に、以上のような構成のリモコン送信器の検査方法について説明すると、先ず所定のキー、例えば選局キー３Ａと３Ｂを同時に押圧操作しながら電源を投入すると、これらの下方のスイッチ接点が開閉されて、この通常とは異なる二つの開閉信号がマイコン１１のキー開閉検出部６から処理切換部１２に送信されるため、処理切換部１２は通常の操作状態ではなく検査状態であると判断し、これ以降入力されたキーの開閉信号を、操作信号作成部８ではなくキー情報記憶部１３に送信する。
【００２３】
なお、キー情報記憶部１３の記憶状態は、例えば図３の記憶ビット図に示すように、電源キー２の開閉信号を記憶する記憶ビット２２と、選局キー３Ａ〜３Ｌの開閉信号を記憶する記憶ビット２３Ａ〜２３Ｌから構成され、通常は図３（ａ）に示すように全て０に設定されている。
【００２４】
そして、マイコン１１が上記の様に検査状態に切換わった後、例えば選局キー３Ａを押圧操作すると、この下方のスイッチ接点が正常に開閉された場合には、選局キー３Ａの開閉信号がキー開閉検査部６から処理切換部１２を通って、キー情報記憶部１３に送信され、図３（ｂ）に示すように、キー情報記憶部１３の記憶ビット２３Ａが１に設定される。
【００２５】
なお、この時、スイッチ接点が正常に動作しなかったり、スイッチ接点が配置された配線基板の配線に断線等の不具合があった場合には、開閉信号がキー開閉検出部６から送信されないため、キー情報記憶部１３の記憶ビット２３Ａは０に設定されたままとなる。
【００２６】
続いて、選局キー３Ｂ，３Ｃ，……３Ｌを順次押圧操作すると、この開閉信号を処理切換部１２がキー情報記憶部１３に送信して、図３（ｃ）に示すように、キー情報記憶部１３の記憶ビット２３Ｂ，２３Ｃ，……２３Ｌが、各々１に設定される。
【００２７】
最後に、予め所定のキーとしてキー情報記憶部１３に設定された、例えば電源キー２を押圧操作すると、この開閉信号を処理切換部１２がキー情報記憶部１３に送信して、図３（ｄ）に示すように、キー情報記憶部１３の記憶ビット２２が１に設定されると共に、キー情報記憶部１３はこれらのキーの開閉情報を検査信号作成部１４に送信する。
【００２８】
そして、検査信号作成部１４がキーの開閉情報に応じた検査用リモコン信号を作成して、一括して送信回路５に送信すると、送信回路５はこの検査用リモコン信号を赤外線信号として一括して検査機（図示せず）に送信し、検査機はこの送信された赤外線信号を受信して、各キーのスイッチ接点が正常に開閉されたか否かの判定を一括して行うように構成されている。
【００２９】
なお、上記リモコン送信器の検査に要する時間は、各キーの押圧操作時間を０．１秒、リモコン送信器１５から検査機への送信時間を０．２秒、検査機の受信及び確認時間を０．１秒とすると、図２に示したようなキー数が１３キーで構成されているリモコン送信器の場合には、０．１秒×１３キー＋０．２秒＋０．１秒＝１．６秒、また、４０キーで構成されているリモコン送信器の場合には４．３秒で検査を行うことができる。
【００３０】
そして、この後、所定のキー、例えば電源キー２と選局キー３Ａを同時に押圧操作すると、マイコン１１の処理切換部１２が検査状態から通常の操作状態に切換わり、その後に入力されたキーの開閉信号はキー情報記憶部１３ではなく操作信号作成部８に送信されるため、従来の技術の場合と同様に、操作信号作成部８が各キーの操作用リモコン信号を作成して送信回路５に駆動させ、これが赤外線信号として送信回路５から電子機器（図示せず）に送信されて、リモコン送信器１５による電子機器の遠隔操作が行われる。
【００３１】
このように本実施の形態によれば、所定のキーの押圧操作によってマイコン１１が検査状態に切換わり、マイコン１１がその後に開閉されたキーの開閉情報を記憶して、これを検査用リモコン信号として一括して送信回路５に送信することによって、検査時間を短縮した、安価なリモコン送信器及びその検査方法を得ることができるものである。
【００３２】
なお、以上の説明では、マイコン１１の処理切換部１２を通常の操作状態から検査状態へ切換える際には選局キー３Ａと３Ｂを、検査用リモコン信号を赤外線信号として一括して検査機に送信する際には電源キー２を、検査状態から操作状態に切換える際には電源キー２と選局キー３Ａを、各々押圧操作する構成として説明したが、これ以外のキーの組み合わせで以上の動作を行ったり、或いは一つのキーで全ての動作を行う等、様々な実施が可能である。
【００３３】
また、リモコン送信器は、使用されるテレビやビデオ等の電子機器の違い、あるいはメーカーの違いによって、実際にはその機能や送信コードが様々であり、この結果、用いられるマイコンやキー数が異なるものが多い。
【００３４】
このような場合、図４の回路構成図に示すように、検査用リモコン信号にマイコン１７の識別情報を付加することによって、マイコンやキー数が異なるものの検査も可能なリモコン送信器を得ることができる。
【００３５】
つまり、同図において、マイコン１７のキー情報記憶部１３には、マイコン１７の識別情報であるマイコンコードを記憶したマイコンコード記憶部１８が接続され、押圧操作されたキーの開閉信号が、キー開閉検出部６から処理切換部１２を通ってキー情報記憶部１３に送信されると共に、キー情報記憶部１３が、マイコンコード記憶部１８からマイコン１７のマイコンコードを読み込むように構成されている。
【００３６】
そして、図５の記憶ビット図に示すように、キー情報記憶部１３の記憶ビット２３Ａ，２３Ｂ，……２３Ｌに各キーの開閉情報を設定すると共に、マイコン１７の識別情報、例えば１０１０を記憶ビット２４に設定し、検査信号作成部１４はこれらの情報に応じた検査用リモコン信号を作成して、一括して送信回路５に送信する。
【００３７】
また、送信回路５はこの検査用リモコン信号を赤外線信号として一括して検査機に送信し、検査機はこの送信された赤外線信号を受信して、各キーのスイッチ接点が正常に開閉されたか否かの判定を行うと共に、どのマイコンが用いられたリモコン送信器かの判定も一括して行う。
【００３８】
これによって、マイコンやキー数が異なるものの検査も可能なリモコン送信器が得られると共に、万一誤ったマイコンが用いられた場合でも、マイコン１７の識別情報と各キーの開閉情報が一致しないため、検査結果は否となってこれを検出することができる。
【００３９】
なお、以上の説明では、送信回路５が検査用リモコン信号を赤外線信号として送信する、所謂赤外線リモコン送信器について説明したが、電波信号として送信する所謂電波リモコン送信器においても、本発明の実施が可能である。
【００４０】
また、テレビやビデオ等の一台の電子機器を一台のリモコン送信器で遠隔操作する構成として説明したが、複数の電子機器を一台のリモコン送信器で遠隔操作できるようにした所謂統一形リモコン送信器や、エアコンや暖房機等の空調機器用のリモコン送信器等、各種リモコン送信器において実施が可能である。
【００４１】
【発明の効果】
以上のように本発明によれば、検査時間を短縮した、安価なリモコン送信器及びその検査方法を得ることができるという有利な効果が得られる。
【図面の簡単な説明】
【図１】本発明の一実施の形態によるリモコン送信器の回路構成図
【図２】同外観斜視図
【図３】同記憶ビット図
【図４】同他の実施の形態による回路構成図
【図５】同記憶ビット図
【図６】従来のリモコン送信器の回路構成図
【図７】同外観斜視図
【符号の説明】
１  ケース
２  電源キー
３Ａ〜３Ｌ  選局キー
５  送信回路
６  キー開閉検出部
７  送信コード記憶部
８  操作信号作成部
１１，１７  マイコン
１２  処理切換部
１３  キー情報記憶部
１４  検査信号作成部
１５  リモコン送信器
１８  マイコンコード記憶部
２２，２３Ａ〜２３Ｌ，２４  記憶ビット
【図１】
0003692883.tif 000002
【図２】
0003692883.tif 000003
【図３】
0003692883.tif 000004
【図４】
0003692883.tif 000005
【図５】
0003692883.tif 000006
【図６】
0003692883.tif 000007
【図７】
0003692883.tif 000008